(57)【要約】  映像再生装置（１００）は、標準ビデオよりも輝度のダイナミックレンジが広い拡張ビデオのデータ（ＤＶ１）を再生する。映像再生装置（１００）は、輝度情報調整部（１５０）を備える。輝度情報調整部（１５０）は、拡張ビデオのデータ（ＤＶ１）の第１の出力輝度レベルを、第２の出力輝度レベルに変更する。前記拡張ビデオのデータ（ＤＶ１）を通常の速度の第１の再生速度よりも速い第２の再生速度で再生する際に、前記輝度情報調整部（１５０）は、前記第１の出力輝度レベルを前記第２の出力輝度レベルに低減させる。
2016208616.tif 000002
【特許請求の範囲】
【請求項１】
標準ビデオよりも輝度のダイナミックレンジが広い拡張ビデオのデータを再生する映像再生装置であって、
前記拡張ビデオのデータの第１の出力輝度レベルを、第２の出力輝度レベルに変更する輝度情報調整部を備え、
前記拡張ビデオのデータを通常の速度の第１の再生速度よりも速い第２の再生速度で再生する際に、前記輝度情報調整部は、前記第１の出力輝度レベルを前記第２の出力輝度レベルに低減させる映像再生装置。
【請求項２】
請求項１記載の映像再生装置であって、
第３の再生速度および第４の再生速度は、前記第１の再生速度よりも速い再生速度であり、
前記第３の再生速度は、前記第４の再生速度よりも速く、
前記輝度情報調整部は、前記第３の再生速度で再生する際の前記第１の出力輝度レベルの低減量を、前記第４の再生速度で再生する際の前記第１の出力輝度レベルの低減量よりも大きくする映像再生装置。
【請求項３】
請求項１記載の映像再生装置であって、
第３の再生速度および第４の再生速度は、前記第１の再生速度よりも速い再生速度であり、
前記第３の再生速度は、前記第４の再生速度よりも速く、
前記輝度情報調整部は、前記第３の再生速度で再生する際の前記第２の出力輝度レベルの最大値を、前記第４の再生速度で再生する際の前記第２の出力輝度レベルの最大値よりも小さくする映像再生装置。
【請求項４】
請求項１から３のいずれか１項に記載の映像再生装置であって、
前記第２の出力輝度レベルの最大値は、前記第１の出力輝度レベルの最大値よりも小さい映像再生装置。
【請求項５】
請求項１記載の映像再生装置であって、
前記輝度情報調整部は、輝度設定値と前記第２の出力輝度レベルとの対応関係を示すトーンマップに基づいて、前記第１の出力輝度レベルを前記第２の出力輝度レベルに変更する映像再生装置。
【請求項６】
請求項５記載の映像再生装置であって、
第３の再生速度および第４の再生速度は、前記第１の再生速度よりも速い再生速度であり、
前記第３の再生速度は、前記第４の再生速度よりも速く、
前記トーンマップは、前記第３の再生速度で再生する際の前記第１の出力輝度レベルの低減量が、前記第４の再生速度で再生する際の前記第１の出力輝度レベルの低減量よりも大きく設定される映像再生装置。
【請求項７】
請求項５記載の映像再生装置であって、
第３の再生速度および第４の再生速度は、前記第１の再生速度よりも速い再生速度であり、
前記第３の再生速度は、前記第４の再生速度よりも速く、
前記トーンマップは、前記第３の再生速度で再生する際の前記第２の出力輝度レベルの最大値が、前記第４の再生速度で再生する際の前記第２の出力輝度レベルの最大値よりも小さく設定される映像再生装置。
【請求項８】
請求項５から７のいずれか１項に記載の映像再生装置であって、
前記トーンマップは、前記第２の出力輝度レベルの最大値が前記第１の出力輝度レベルの最大値よりも小さく設定される映像再生装置。
【請求項９】
標準ビデオよりも輝度のダイナミックレンジが広い拡張ビデオのデータを読み込む第１のステップと、
前記拡張ビデオのデータの第１の出力輝度レベルを第２の出力輝度レベルに変更する第２のステップと
を備え、
前記第２のステップでは、前記拡張ビデオのデータを通常の速度の第１の再生速度よりも速い第２の再生速度で再生する際に、前記第１の出力輝度レベルを前記第２の出力輝度レベルに低減させる映像再生方法。
【請求項１０】
請求項９記載の映像再生方法であって、
第３の再生速度および第４の再生速度は、前記第１の再生速度よりも速い再生速度であり、
前記第３の再生速度は、前記第４の再生速度よりも速く、
前記第３の再生速度で再生する際の前記第１の出力輝度レベルの低減量を、前記第４の再生速度で再生する際の前記第１の出力輝度レベルの低減量よりも大きくする映像再生方法。
【請求項１１】
請求項９記載の映像再生方法であって、
第３の再生速度および第４の再生速度は、前記第１の再生速度よりも速い再生速度であり、
前記第３の再生速度は、前記第４の再生速度よりも速く、
前記第３の再生速度で再生する際の前記第２の出力輝度レベルの最大値を、前記第４の再生速度で再生する際の前記第２の出力輝度レベルの最大値よりも小さくする映像再生方法。
【請求項１２】
請求項９から１１のいずれか１項に記載の映像再生方法であって、
前記第２の出力輝度レベルの最大値は、前記第１の出力輝度レベルの最大値よりも小さく設定される映像再生方法。
【請求項１３】
請求項９記載の映像再生方法であって、
前記第２のステップは、輝度設定値と第２の出力輝度レベルとの対応関係を示すトーンマップに基づいて、前記第１の出力輝度レベルを変更前記第２の出力輝度レベルに変更する映像再生方法。
【請求項１４】
請求項１３記載の映像再生方法であって、
第３の再生速度および第４の再生速度は、前記第１の再生速度よりも速い再生速度であり、
前記第３の再生速度は、前記第４の再生速度よりも速く、
前記トーンマップは、前記第３の再生速度で再生する際の前記第１の出力輝度レベルの低減量が、前記第４の再生速度で再生する際の前記第１の出力輝度レベルの低減量よりも大きく設定される映像再生方法。
【請求項１５】
請求項１３記載の映像再生方法であって、
第３の再生速度および第４の再生速度は、前記第１の再生速度よりも速い再生速度であり、
前記第３の再生速度は、前記第４の再生速度よりも速く、
前記トーンマップは、前記第３の再生速度で再生する際の前記第２の出力輝度レベルの最大値が、前記第４の再生速度で再生する際の前記第２の出力輝度レベルの最大値よりも小さく設定される映像再生方法。
【請求項１６】
請求項１３から１５のいずれか１項に記載の映像再生方法であって、
前記トーンマップは、前記第２の出力輝度レベルの最大値が前記第１の出力輝度レベルの最大値よりも小さく設定される映像再生方法。
【発明の詳細な説明】
【技術分野】
【０００１】
本発明は、映像再生装置および映像再生方法に関するものである。
【背景技術】
【０００２】
従来の光ディスク規格では、標準の輝度（１００ｎｉｔ）のモニタで視聴することを前提にビデオオーサリングが行われていた。しかし、近年では、１００００ｎｉｔを超えるような標準よりも高輝度を表現できるモニタが市販され始めている。また、このようなダイナミックレンジが広いモニタで、高品位の映像を視聴したいという要求が高くなっている。このような輝度のダイナミックレンジが広いコンテンツを、適切な明るさで表示させることができる映像再生装置が知られている（例えば、特許文献１）。【０００３】
特許文献１は、モニタの表示性能又は識別情報に基づいて、光ディスクに記録されているＨＤＲビデオの輝度値を、モニタが表示できる最適な輝度値に変換する技術を開示している。【０００４】
なお、標準輝度でオーサリングされたビデオ映像をＳＤＲ（Ｓｔａｎｄａｒｄ  Ｄｙｎａｍｉｃ  Ｒａｎｇｅ）ビデオと呼ぶ。また、高輝度を表現できるビデオ映像をＨＤＲ（Ｈｉｇｈ  Ｄｙｎａｍｉｃ  Ｒａｎｇｅ）ビデオと呼ぶ。ＨＤＲビデオは、輝度のダイナミックレンジが広い映像表現ができる映像コンテンツである。また、ＨＤＲビデオは、表現可能な最大輝度が高いため、太陽の煌めき又は光の反射などの高輝度の表現が可能となる。【０００５】
なお、ＨＤＲビデオを表示するためには、ＨＤＲビデオに対応した表示装置が必要となる。
【先行技術文献】
【特許文献】
【０００６】
【特許文献１】国際公開ＷＯ２０１５−０４５９１６号（第２−６頁、図２）
【発明の概要】
【発明が解決しようとする課題】
【０００７】
特許文献１に開示されている従来の映像再生装置は、通常速度の再生時に、輝度のダイナミックレンジが広いコンテンツの輝度を、モニタが表示できる輝度値に調整するものである。そのため、特許文献１の映像再生装置では、早送り、巻き戻し、スロー再生又はスチル表示などの特殊再生時に配慮した輝度値調整は行われていない。特に、ＨＤＲビデオを早送りした際などにおいては、高輝度の輝点が画面上を激しく動き、視聴者は目が疲れやすくなるといった問題がある。
【課題を解決するための手段】
【０００８】
本発明の映像再生装置は、標準ビデオよりも輝度のダイナミックレンジが広い拡張ビデオのデータを再生する映像再生装置であって、輝度値及び出力輝度レベルの対応関係を示すトーンマップに基づいて、前記拡張ビデオのデータの輝度情報を変更する輝度情報調整部を備え、前記拡張ビデオのデータを通常の再生速度よりも速い再生速度で再生する場合には、前記トーンマップに基づいて、前記出力輝度レベルを低減させることを特徴とする。
【発明の効果】
【０００９】
上述したように構成することによって、高品位で高輝度の映像を、視聴できるとともに、視聴者の目の疲れを軽減した映像再生装置を提供することができる。
【図面の簡単な説明】
【００１０】
【図１】実施の形態１の符号化映像再生装置のシステム構成図である。
【図２】ＨＤＲビデオについての説明図である。
【図３】光ディスクの論理ファイル構造を示した図である。
【図４】ストリーム情報ファイルの内部データ構造の説明図である。
【図５】再生制御情報ファイルのシンタックスの説明図である。
【図６】映像ストリームのデータ構造の説明図である。
【図７】輝度設定値と出力輝度レベルとの相関関係の説明図である。
【図８】拡張トーンマップの生成に関する説明図である。
【図９】ＨＤＲビデオとＳＤＲビデオとの光ディスク及び表示装置を組合せた場合のシステムの挙動についての説明図である。
【図１０】実施の形態１の再生処理の基本フロー図である。
【図１１】実施の形態１のトーンマップ変更処理のフロー図である。
【図１２】変形例の符号化映像再生装置のシステム構成図である。
【発明を実施するための形態】
【００１１】
実施の形態１．
実施の形態１に係る符号化映像再生装置１００は、ＨＤＲビデオの再生速度を上げて再生した場合などに、ＨＤＲビデオの出力輝度レベルを変更する。これにより、輝点のちらつきによる目の疲れを低減することができる。
【００１２】
ＨＤＲビデオは、拡張ビデオともよばれる。また、ＳＤＲビデオは、標準ビデオともよばれる。
【００１３】
図１は、この発明に係る符号化映像再生装置１００のシステム構成図を示す図である。一般的に、映像は圧縮されていることから、ここでは、一例として、映像再生装置を「符号化映像再生装置」として説明している。
【００１４】
符号化映像再生装置１００は、輝度情報調整部１５０を備える。
【００１５】
また、符号化映像再生装置１００は、表示機器情報取得部１５１及びトーンマップ生成部１５２を備えることができる。表示機器情報取得部１５１及びトーンマップ生成部１５２は、システム制御部１０１の構成要素である。つまり、符号化映像再生装置１００は、システム制御部１０１を備えることができる。
【００１６】
また、符号化映像再生装置１００は、ストリーム制御部１１０、映像音声デコーダ部１１１、デジタルインターフェース部１１２及びメモリ部１２０を備えることができる。デジタルインターフェース部１１２は、表示装置通信部１１４を備えている。メモリ部１２０は、標準ＨＤＲトーンマップ１４０及び標準ＳＤＲトーンマップ１４１を備えている。
【００１７】
なお、実施の形態では、一例として、トーンマップ１４０，１４１を用いた処理で説明している。しかし、トーンマップ１４０，１４１を用いる代わりに、関数などの数式を用いて、輝度設定値７０１と出力輝度レベル７０２との関係を求めることもできる。
【００１８】
また、符号化映像再生装置１００は、再生ドライブ部１０２を備えることができる。再生ドライブ部１０２は、光ディスク１０３に記録された情報の読出しを行う。光ディスク１０３は、例えば、ＢＤ（Ｂｌｕ−ｒａｙ（登録商標）  Ｄｉｓｃ）またはＤＶＤ（登録商標）などである。
【００１９】
システム制御部１０１は、符号化映像再生装置１００全体を統合して制御している。システム制御部１０１は、デコーダブロック１１５に対してデコーダ制御信号ＤＤを送る。また、システム制御部１０１は、デコーダブロック１１５からデコーダ制御信号ＤＤを受け取る。
【００２０】
光ディスク１０３には、後述する符号化映像が多重化されたストリーム情報ＤＳ１及びこのストリーム情報ＤＳ１の再生制御情報ＤＣが記録されている。つまり、光ディスク１０３には、ストリーム情報ＤＳ１及び再生制御情報ＤＣが記録されている。「再生制御情報」とは、映像の属性情報、音声の属性情報又は再生開始時間情報と再生開始位置情報との対応関係を示す情報などである。映像の属性情報は、光ディスク１０３に記録されているストリーム情報から分離した符号化映像ストリームに関するものである。音声の属性情報は、符号化音声ストリームに関するものである。再生開始時間情報と再生開始位置情報との対応関係を示す情報は、ストリーム情報のアクセス単位（通常ＧＯＰ単位）で行われるものである。
【００２１】
なお、本実施の形態１では、具体例として、再生ドライブ部１０２を光ディスクドライブ読み取り装置として説明を進める。しかし、再生ドライブ部１０２は、ハードディスクドライブ装置又はＳＤメディアドライブ装置でも構わない。その場合には、ハードディスクドライブ又はＳＤメディア上に、ストリーム情報ＤＳ１及び再生制御情報ＤＣが記録されている。そして、再生ドライブ部１０２を通じて情報の読出しが行なわれる。
【００２２】
また、光ディスク１０３に記録されているストリーム情報ＤＳ１及びこのストリーム情報ＤＳ１の再生制御情報ＤＣは、放送又はストリーミングによって取得することもできる。
【００２３】
「ストリーミング」とは、インターネットなどのネットワークを通じて、映像又は音声などのマルチメディアデータを視聴する際に、データを受信しながら同時に再生を行う方式である。
【００２４】
次に本実施の形態１における再生処理の流れについて説明する。
【００２５】
光ディスク１０３に記録されたＭＰＥＧ２−ＴＳ（ＭＰＥＧ２−ＴｒａｎｓｐｏｒｔＳｔｒｅａｍ）などの符号化圧縮されたストリーム情報ＤＳ２を再生する場合には、システム制御部１０１は、再生対象のストリーム情報ＤＳ２に関連する再生制御情報ＤＣをあらかじめ読み出しておく。
【００２６】
システム制御部１０１は、再生制御情報ＤＣを即座に読み出せるように、読み出した再生制御情報ＤＣをメモリ部１２０に保持する。システム制御部１０１は、メモリ部１２０に保持した再生制御情報ＤＣを読み出し、周辺デバイスに対して再生準備を行うよう指示する。
【００２７】
その後、システム制御部１０１は、メモリ部１２０に記録されたストリーム情報ＤＳ１を読み出す。そして、システム制御部１０１は、ストリーム制御部１１０を経由して、ストリーム情報ＤＳ２を映像音声デコーダ部１１１に供給する。ストリーム制御部１１０は、システム全体のストリーム情報ＤＳ１，ＤＳ２の流れを統括して制御している。ストリーム制御部１１０は、ストリーム情報ＤＳ１から符号化圧縮された映像のストリーム情報ＤＳ２を選択する。ストリーム制御部１１０は、ストリーム情報ＤＳ１からストリーム情報ＤＳ２を抜き出す。
【００２８】
映像音声デコーダ部１１１は、ストリーム情報ＤＳ２を逐次取り込んだ後に、ストリーム情報ＤＳ２を符号化圧縮された映像ストリームと音声ストリームとに分離する。その後、映像音声デコーダ部１１１は、ＭＰＥＧ２などで符号化された映像ストリームをデコード処理して映像信号ＤＶ１に復号する。
【００２９】
また、映像音声デコーダ部１１１は、ＡＣ−３などで符号化された音声ストリームも、同様に、デコード処理を行い音声信号ＤＡ１に復号する。
【００３０】
なお、実施の形態１に係る符号化映像再生装置１００では、映像の輝度レベルの変更を行うために、音声ストリームに関する処理は、必ずしも必要ではない。
【００３１】
そして、復号された映像信号ＤＶ１及び音声信号ＤＡ１は、輝度情報調整部１５０に出力される。
【００３２】
輝度情報調整部１５０は、拡張ビデオのデータＤＶ１の輝度情報を変更する。輝度情報調整部１５０は、例えば、ＨＤＲビデオとしての特殊再生が行われた場合には、後述する拡張トーンマップに基づいて、映像音声デコーダ部１１１から出力された復号された映像信号ＤＶ１の輝度値を変換する。そして、輝度情報調整部１５０は、輝度値の変換がおこなわれた復号された映像情報（映像信号ＤＶ２）をデジタルインターフェース部１１２に出力する。
【００３３】
拡張トーンマップは、輝度設定値と出力輝度レベルとの変換情報である。また、トーンマッピングは、標準以上のダイナミックレンジを圧縮または再配置するなどをして標準のダイナミックレンジの画像を得る手法である。トーンマップは、トーンマッピングの際に使用される。
【００３４】
音声情報（音声信号ＤＡ１）については、輝度情報調整部１５０は、映像音声デコーダ部１１１からの出力信号を、そのままデジタルインターフェース部１１２に出力する。
【００３５】
デジタルインターフェース部１１２では、供給された映像信号ＤＶ２及び音声信号ＤＡ１を、ＨＤＭＩ（登録商標）インターフェースに適合した信号に変換する。
【００３６】
表示装置１１３は、ＨＤＭＩ信号に変換された映像信号ＤＶ３及び音声信号ＤＡ２を視聴するための表示装置である。
【００３７】
また、符号化映像再生装置１００は、映像信号ＤＶ３及び音声信号ＤＡ２を出力する際に、表示装置通信部１１４を通じて、映像属性情報ＤＴ（制御情報）を、表示装置１１３に伝送する。この映像属性情報ＤＴは、ＨＤＭＩ規格で規定されている映像信号ＤＶ３に関する情報である。この映像属性情報ＤＴには、映像信号ＤＶ３に関するＨＤＲビデオの有無に関する情報、最大出力輝度レベル情報又はマスタリング環境情報が含まれている。
【００３８】
また、映像属性情報ＤＴの表示装置１１３への伝送は、ブランキング期間に行われる。
【００３９】
また、表示機器情報取得部１５１は、表示装置通信部１１４を介して、表示可能フォーマットＤＦを取得する。表示可能フォーマットＤＦは、表示装置１１３の表示性能の情報を含んでいる。また、表示可能フォーマットＤＦは、表示装置１１３のＨＤＲビデオ対応の有無に関する情報、最大出力輝度レベル、推奨最大輝度レベル、製造者名、製造年、表示可能な解像度又はインターレース対応の可否に関する情報等である。
【００４０】
表示装置１１３は、表示可能フォーマットＤＦをＥＤＩＤ（Ｅｘｔｅｎｄｅｄ  Ｄｉｓｐｌａｙ  Ｉｄｅｎｔｉｆｉｃａｔｉｏｎ  Ｄａｔａ）として不揮発性メモリに記録している。
【００４１】
なお、本実施の形態１では、ＨＤＭＩ規格を利用した例について説明を進めている。しかし、表示装置１１３の表示可能フォーマットＤＦを取得できればよい。つまり、ｉＬｉｎｋ又は赤外線通信等を用いて取得しても良い。
【００４２】
また、本実施の形態１では、表示装置通信部１１４がデジタルインターフェース部１１２中に存在する例について示している。しかし、表示装置通信部１１４は、デジタルインターフェース部１１２の中に存在しなくても構わない。
【００４３】
デコーダブロック１１５は、システム制御部１０１からの指示により、ストリーム情報の記録及び再生を行う。「デコーダブロック」は、映像ストリーム及び音声ストリームの記録再生機能の総称である。
【００４４】
図１では、例えば、デコーダブロック１１５は、再生ドライブ部１０２、ストリーム制御部１１０、映像音声デコーダ部１１１、輝度情報調整部１５０およびデジタルインターフェース部１１２を備えている。
【００４５】
操作部１３０は、ユーザーなどから符号化映像再生装置１００に対して要求を行う部分である。つまり、ユーザーなどは、操作部１３０を用いて、符号化映像再生装置１００に対して指示を行う。
【００４６】
一般的に、操作部１３０は、操作パネル又はリモコンなどを指す。操作パネルは、例えば、符号化映像再生装置１００のフロントパネル等に配置されている。
【００４７】
システム制御部１０１は、操作部１３０を介して要求された命令の内容を解釈する。そして、システム制御部１０１は、要求された命令を基に、デコーダブロック１１５を制御する。そして、システム制御部１０１は、要求された命令を基に、ストリーム情報ＤＳ２を再生する。つまり、システム制御部１０１は、要求された命令を基に、デコーダブロック１１５に対して、ストリーム情報ＤＳ２を再生するための指示を送る。
【００４８】
また、操作部１３０を介して、映像の再生開始、再生停止、一時停止、早送り、巻き戻し、スロー再生又はスキップなどの指示が行われる。
【００４９】
なお、通常の再生速度を１倍速とした場合には、１倍速よりも速い速度で再生すること、または、１倍速よりも遅い速度で再生することを「特殊再生」と呼ぶ。つまり、１倍速以外の速度で再生することを「特殊再生」と呼ぶ。通常の再生速度は、その映像の再生で予定されている再生速度である。通常の再生速度は、その映像情報に記録されている再生速度である。通常の再生速度は、その映像のストリーム情報ＤＳ１に記録されている再生速度である。通常の再生速度は、その映像の再生に際して、再生速度に関する指示を受けない状態で再生される速度である。通常の再生速度は、その映像の再生に際して、再生速度の変更の指示を受けない状態で再生される速度である。通常の再生速度は、その映像の再生に際して、再生速度の調整の指示を受けない状態で再生される速度である。なお、「通常の再生速度」とは、通常の速度の再生速度という意味である。
【００５０】
トーンマップ生成部１５２は、拡張トーンマップを生成する。拡張トーンマップは、輝度設定値と出力輝度レベルとの対応関係を示す情報である。
【００５１】
「輝度設定値」とは、復号された映像信号の各ピクセル対して、記録されている輝度情報を示す値である。また、「出力輝度レベル」とは、輝度設定値に対する映像を表示する際の明るさを示す。
【００５２】
例えば、従来のＳＤＲビデオの場合では、２５５の輝度値に対して、出力輝度レベルは１００ｎｉｔ（ニット）である。これに対して、ＨＤＲビデオの場合では、２５５の輝度値に対して、出力輝度レベルは１００００ｎｉｔになる。なお、輝度が２５６諧調（２の８乗）の分解能であるとして説明している。ニット［ｎｉｔ］は、輝度の単位である。みかけの単位面積から立体角当たりにどれだけの光（光度）が放射されるかを表す単位（カンデラ毎平方メートル）である。
【００５３】
なお、ＨＤＲビデオ規格で定義されているＨＤＲビデオに対するトーンマップ情報は、メモリ部１２０内に標準ＨＤＲトーンマップ１４０として記録されている。
【００５４】
メモリ部１２０は、例えば、不揮発性メモリである。
【００５５】
また、ＳＤＲ規格で定義されているＳＤＲビデオに対するトーンマップ情報は、メモリ部１２０内に標準ＳＤＲトーンマップ１４１として記録されている。
【００５６】
なお、実施の形態１では、一例として、表示機器情報取得部１５１及びトーンマップ生成部１５２は、システム制御部１０１内のファームウェアなどで構成されている。
【００５７】
しかし、表示機器情報取得部１５１及びトーンマップ生成部１５２は、システム制御部１０１の外部に存在しても構わない。また、表示機器情報取得部１５１及びトーンマップ生成部１５２は、ハードウェアで構成されても構わない。
【００５８】
また、輝度情報調整部１５０の機能は、映像音声デコーダ部１１１又はデジタルインターフェース部１１２で実現してもよい。この場合には、輝度情報調整部１５０を省くことができる。
【００５９】
図２は、ＨＤＲビデオについての説明図である。
【００６０】
図２は、表示装置１１３に表示されるＨＤＲビデオ映像２００の一例を示している。
【００６１】
ＨＤＲは、上述のように、ハイダイナミックレンジの略称である。そして、ＨＤＲビデオは、表示処理のできる輝度信号の最小値から最大値までの範囲が、従来のＳＤＲビデオよりも広い。
【００６２】
従来のＳＤＲビデオでは、表示処理のできる輝度範囲が限定されている。例えば、ＳＤＲビデオが、太陽の煌めき又は川に映る光の反射などの高輝度の表現を行うことができなかった。
【００６３】
また、従来のＳＤＲビデオでは、高輝度の部分での細かな階調表現ができなかった。そのため、白で飽和した「白とび」と呼ばれる現象が発生していた。例えば、ＳＤＲビデオでは、図２中の、太陽２０１ａの煌めき又は太陽光が川に反射したときの煌めき部分２０１ｂ，２０１ｃ等の階調表現が損なわれていた。また、ＳＤＲビデオでは、高輝度の部分の表示自体も行うことができなかった。
【００６４】
ＨＤＲビデオ規格では、ＨＤＲビデオが記録された記録媒体を、ＨＤＲビデオ対応の再生装置及び表示装置で視聴する。ＨＤＲビデオ対応の再生装置及び表示装置は、前述した高輝度部分の表示又は高輝度部分の階調表現が可能である。そして、より高品位な映像視聴を楽しむことが可能となる。
【００６５】
図３は、光ディスク１０３の論理ファイル構造を示した図である。
【００６６】
ルートディレクトリ３００は、論理的に階層構造を成すファイル構造の最上位階層のディレクトリ構造である。ディスクディレクトリ３０１は、ルートディレクトリ３００の下位階層に配置されるディレクトリ構造である。
【００６７】
ディスクディレクトリ３０１は、再生制御情報ファイル３１０及びストリーム管理ディレクトリ３０２を備えている。
【００６８】
再生制御情報ファイル３１０は、再生制御情報ＤＣをファイル形式で記録している。再生制御情報ＤＣは、光ディスク１０３に記録されているディスクコンテンツを管理する情報である。
【００６９】
ストリーム管理ディレクトリ３０２は、ストリーム情報ファイル３２０をまとめて記録したフォルダである。ストリーム情報ファイル３２０は、ストリーム情報ＤＳ２の一例である。
【００７０】
図３では、ストリーム情報ファイル３２０は、５桁のファイル名で記録されているとして説明を進める。ファイル名は、５桁の数字であれば良く、連番である必要はない。
【００７１】
なお、ストリーム情報ファイル３２０を、個別のディレクトリ内に配置する例を示している。しかし、ストリーム情報ファイル３２０を、ルートディレクトリ３００に直接配置しても良い。また、ストリーム情報ファイル３２０を、他のディレクトリ位置に配置しても構わない。
【００７２】
また、ストリーム情報ファイル３２０を、ある管理単位毎に個別のファイルとして形成している例を示している。しかし、ストリーム情報ファイル３２０を、１つのファイルにまとめて記録しても構わない。
【００７３】
図４は、ストリーム情報ファイル３２０の内部データ構造を示した説明図である。
【００７４】
ストリーム情報ファイル３２０は、複数のパケット４００を備えている。パケット４００は、固定長のデータ単位で構成されている。パケット層４０５には、複数のパケット４００が含まれている。
【００７５】
映像データ、音声データ又はストリーム管理データ等は、パケット４００の単位に分割されている。そして、これらのデータは多重化される。ストリーム情報ファイル３２０は、これらの多重化されたデータを含む。
【００７６】
ストリーム情報ファイル３２０は、ストリーム情報ＤＳ２に相当する。また、ストリーム管理データは、ストリーム情報ファイル３２０の属性情報である。ストリーム管理データには、例えば、映像のコーデック、解像度、フレームレートまたはアクセスポイント情報などが記録されている。映像データ、音声データ又はストリーム管理データ等は、ストリーム情報ＤＳ２に含まれている。
【００７７】
パケット４００は、ヘッダ情報４０１及びデータ領域４０３を備えている。
【００７８】
それぞれのパケット４００の先頭には、ヘッダ情報４０１がある。ヘッダ情報４０１に記述されたＩＤ４０２（Ｉｄｅｎｔｉｆｉｃａｔｉｏｎ）によって、パケット４００内のデータを識別する。
【００７９】
ストリーム制御部１１０は、このＩＤ４０２を識別して、ストリーム情報ファイル３２０を、映像データ、音声データ又はストリーム管理データ等に分離する。
【００８０】
図５は、再生制御情報ファイル３１０のシンタックスの説明図である。
【００８１】
光ディスク１０３の一般情報は、光ディスク１０３を特定するための情報を示す。光ディスク１０３の一般情報には、Ｓｔｕｄｉｏ＿ＩＤ５０１及びＤｉｓｃ＿ＩＤ５０２が記録されている。Ｓｔｕｄｉｏ＿ＩＤ５０１は、光ディスク１０３の製造元の識別番号である。Ｄｉｓｃ＿ＩＤ５０２は、光ディスク１０３内のコンテンツ識別番号である。
【００８２】
すなわち、Ｓｔｕｄｉｏ＿ＩＤ５０１とＤｉｓｃ＿ＩＤ５０２との組合せにより、市場に流通しているディスク全体から、この光ディスク１０３に記録されたコンテンツを特定できる。
【００８３】
また、Ｓｔｕｄｉｏ＿ＩＤ５０１とＤｉｓｃ＿ＩＤ５０２とを用いて、ネットワークから、あるコンテンツに関連したメタデータを識別することができる。例えば、映像シーン毎の出力輝度レベル情報をネットワークから取得するような用途で、光ディスク１０３の一般情報を使うことができる。「映像シーン」とは、ある場面での連続した映像を複数まとめたものである。つまり、１つの映像シーンでは、各映像の相関性は高くなる。
【００８４】
また、光ディスク１０３内に記録されている番組タイトルをプレイリストと呼ぶ。プレイリストの総数を示す「ｎｕｍ＿ｏｆ＿ｐｌａｙｌｉｓｔ５０３」が記録されている。次の「ｆｏｒ」以下のループ文では、「ｎｕｍ＿ｏｆ＿ｐｌａｙｌｉｓｔ５０３」の数だけ処理が繰り返される。
【００８５】
なお、プレイリストは、後述する１つ以上の複数のプレイアイテムを含んでいる。また、１つのプレイアイテムは、複数の映像フレームを含んでいる。１つの映像フレームは、複数のピクセルを含んでいる。
【００８６】
「ピクセル」とは、コンピュータで画像を扱うときの、色情報(色調または階調)を持つ最小単位（最小要素）のことである。ピクセルは画素ともよばれる。
【００８７】
「ｆｌａｇ＿ＨＤＲ５０４」は、このプレイリストがＨＤＲビデオであるかＳＤＲビデオであるかを識別するための情報である。なお、複数のＨＤＲビデオ技術を用いる場合には、ｆｌａｇ＿ＨＤＲ５０４にＨＤＲビデオ技術の種別を示す情報を記録することで、複数のＨＤＲビデオ技術を管理してもよい。
【００８８】
「Ｍａｘ＿ＬＬ５０５」は、このプレイリスト中のピクセルで、最大の出力輝度レベルを示す。また、「Ｍａｘ＿Ａｖｅ＿ＬＬ５０６」は、このプレイリストを構成する映像フレーム毎の平均輝度を算出して、最大の平均輝度を持った映像フレームの出力輝度レベルを示す。また、「ＭａｓｔｅｒＭｏｎｉｔｏｒＩｎｆｏ５０７」は、このプレイリストを作成した際にマスタリングしたモニタの表示性能情報を示す。つまり、「ＭａｓｔｅｒＭｏｎｉｔｏｒＩｎｆｏ５０７」は、このプレイリストを作成した際に使用した表示装置の表示性能情報を示す。
【００８９】
このプレイリストは、複数のプレイアイテムを含んでいる。このプレイアイテムの総数を示す「ｎｕｍ＿ｏｆ＿ｐｌａｙｉｔｅｍ５０８」が記録される。そして、次の「ｆｏｒ」以下のループ文では、「ｎｕｍ＿ｏｆ＿ｐｌａｙｉｔｅｍ５０８」の数だけ処理が繰り返される。
【００９０】
プレイアイテムは、１つの再生区間情報が記録されている。プレイアイテムは、再生対象のストリームファイル名５０９、再生開始時間５１０又は再生終了時間５１１を含んでいる。この再生区間情報に基づいて、符号化映像再生装置１００は、ストリーム情報ファイル３２０のどの区間を再生すればよいのかを判断できる。
【００９１】
また、再生制御情報ファイル３１０中には、光ディスク１０３内に記録されているストリーム情報ファイル３２０の総数を示す「ｎｕｍ＿ｏｆ＿ｓｔｒｅａｍ５１２」が記録されている。次の「ｆｏｒ」以下のループ文では、「ｎｕｍ＿ｏｆ＿ｓｔｒｅａｍ５１２」の数だけ処理が繰り返される。
【００９２】
ストリーム情報ファイル名５１３は、ストリーム情報ファイル３２０の名前を示す５桁の数字情報である。また、属性情報管理テーブル５１４には、ストリーム情報ファイル３２０中で使用される映像情報又は音声情報などの属性情報が記録されている。また、属性情報管理テーブル５１４には、ストリームを構成している映像情報毎に又は音声情報毎に、パケットを識別するＩＤ４０２などが格納されている。
【００９３】
このパケットＩＤを用いて、ストリーム制御部１１０は、映像データ、音声データ又はストリーム管理データ等を分離する。映像データ、音声データ又はストリーム管理データ等は、ストリーム情報ＤＳ２に含まれている。
【００９４】
また、アクセスポイント管理テーブル５１５は、アクセスポイント毎のストリーム読み出し位置と再生開始時間とを記録したリスト情報である。このリスト情報を用いて、タイムサーチ又は特殊再生などのランダムアクセス再生を行うことができる。
【００９５】
なお、例えば、映像データがＭＰＥＧ２ビデオストリームでエンコードされている場合には、ＧＯＰ（Ｇｒｏｕｐ  ｏｆ  Ｐｉｃｔｕｒｅ）の先頭がアクセスポイントに相当する。このＧＯＰ毎に、再生開始時間の情報と再生開始アドレスの情報とが記述されている。再生開始アドレスは、ストリームファイルの先頭を起算とした位置である。つまり、再生開始アドレスは、ストリームファイルの先頭を基準として数え始める。
【００９６】
符号化映像再生装置１００は、再生開始時間の情報からストリーム情報ファイル３２０の再生開始アドレスを割り出し、ランダムアクセス再生を行う。
【００９７】
図６は、映像ストリームのデータ構造を示す説明図である。図６は、映像ストリーム６００のデータ構造を示している。映像ストリーム６００は、ストリーム情報ＤＳ２の一例である。
【００９８】
映像ストリーム６００は、ストリーム情報ファイル３２０を、ストリーム制御部１１０でデマルチプレクスされることによって抽出されて符号化圧縮されている。映像ストリーム６００は、符号化圧縮単位となるＧＯＰ（Ｇｒｏｕｐ Ｏｆ  Ｐｉｃｔｕｒｅ）６０１単位で情報圧縮されている。
【００９９】
ＧＯＰ６０１は、Ｉピクチャ６１０、Ｐピクチャ６１１又はＢピクチャ６１２を含んでいる。
【０１００】
Ｉピクチャ６１０は、フレーム内でデータ圧縮されている。Ｐピクチャ６１１は、時間的に前方向のＩピクチャによる動き補償を加えてデータ圧縮されている。Ｂピクチャ６１２は、時間的に前後方向のＩピクチャ６１０又はＰピクチャ６１１による動き補償を加えてデータ圧縮されている。
【０１０１】
例えば、この符号化圧縮は、０．５秒の再生時間ごとに行われている。
【０１０２】
Ｉピクチャ６１０は、ＧＯＰ６０１の先頭に位置している。Ｉピクチャ６１０は、ＧＯＰ６０１の中で最初にデコードされる。また、Ｉピクチャ６１０は、表示時刻情報６２０、映像属性情報６３０又は符号化映像データ６４０を含んでいる。
【０１０３】
表示時刻情報６２０には、ＰＴＳ（Ｐｒｅｓｅｎｔａｔｉｏｎ  Ｔｉｍｅ  Ｓｔａｍｐ）が付与されている。また、表示時刻情報６２０には、表示装置１１３に提示する時間情報が記録される。
【０１０４】
なお、表示時刻情報６２０は、映像又は音声が同期できる時刻情報であればよい。表示時刻情報６２０に、ＰＴＳではなく、ＮＴＰ（Ｎｅｔｗｏｒｋ  Ｔｉｍｅ  Ｐｒｏｔｏｃｏｌ）で定義される時刻情報などを利用しても構わない。
【０１０５】
映像属性情報６３０は、ＡＵＤ６３１、ＳＰＳ６３２、ＰＰＳ６３３又はＳＥＩ６３４を含んでいる。
【０１０６】
ＡＵＤ６３１は、アクセス・ユニット・デリミター（Ａｃｃｅｓｓ−Ｕｎｉｔ−Ｄｅｌｉｍｉｔｅｒ）の略語である。ＡＵＤ６３１は、映像のアクセスユニットの先頭を示す識別子情報を示している。また、ＡＵＤ６３１は、映像のアクセスユニットに含まれるスライスの種類を示す情報を含んでいる。
【０１０７】
また、ＳＰＳ６３２は、システム・パラメータ・セット（Ｓｙｓｔｅｍ−Ｐａｒａｍｅｔｅｒ−Ｓｅｔ）の略語である。ＳＰＳ６３２には、ＧＯＰ６０１全体の符号化に関わるプロファイル、レベル、解像度、フレームレート又はビットレート上限値などの情報が記載される。
【０１０８】
ＰＰＳ６３３は、ピクチャー・パラメータ・セット（Ｐｉｃｔｕｒｅ−Ｐａｒａｍｅｔｅｒ−Ｓｅｔ）の略語である。ＰＰＳ６３３は、ピクチャ全体の符号化に関わる情報を持っている。また、ＰＰＳ６３３には、エントロピー符号化モード又はピクチャ単位の量子化パラメータ等の情報が記録される。
【０１０９】
ＳＥＩ６３４は、サプリメンタル・エレメント・インフォメーション（Ｓｕｐｐｌｉｍｅｎｔａｌ−Ｅｌｅｍｅｎｔ−Ｉｎｆｏｍａｔｉｏｎ）の略語である。ＳＥＩ６３４には、ＧＯＰ６０１のメタデータ情報が記録される。メタデータ情報には、ＧＯＰ６０１の最大出力輝度レベル又はＧＯＰ毎のトーンマップ情報などが格納されている。そして、このメタデータ情報に基づいて、表示装置１１３側で、動的にＨＤＲビデオの出力輝度レベルを変更できる。
【０１１０】
なお、Ｉピクチャ６１０以外のＰピクチャ６１１及びＢピクチャ６１２は、図６で示すように、ＳＰＳ６３２及びＳＥＩ６３４を含まない。
【０１１１】
図７は、輝度設定値と出力輝度レベル［ｎｉｔ］との相関関係を示すトーンマップに関する説明図である。
【０１１２】
図７の横軸は輝度設定値７０１を示し、縦軸は出力輝度レベル７０２を示す。
【０１１３】
輝度設定値７０１は、符号化映像をデコードした際に、映像フレームを構成する各ピクセルの輝度値を示す。一般的な映像信号の輝度設定値７０１は、８ビットで表現されている。このため、輝度設定値７０１は、２５６諧調（２の８乗）の分解能を持つ。
【０１１４】
一般的なＳＤＲビデオの映像信号は、出力輝度レベル７０２として１００ｎｉｔ程度の明るさまでを表現することを前提に、標準化されている。つまり、ＳＤＲビデオの表示輝度範囲７０６は、例えば、０（ゼロ）ｎｉｔから１００ｎｉｔまでである。
【０１１５】
一般的なＳＤＲビデオの映像信号では、輝度設定値７０１は、０（ゼロ）から２５５までの値を持つ。そして、出力輝度レベル７０２は、０（ゼロ）から１００の値を持つ。
【０１１６】
なお、出力輝度レベル７０２が０（ゼロ）であることは、輝度が最小となることを示す。また、出力輝度レベル７０２が１００であることは、輝度が最大となることを示す。この対応関係を、標準ＳＤＲトーンマップ１４１と呼ぶ。
【０１１７】
一方、一般的なＨＤＲビデオの映像信号は、出力輝度レベル７０２として１００００ｎｉｔ程度の明るさまでを表現することを前提に標準化が行われている。つまり、ＨＤＲビデオの表示輝度範囲７０５は、例えば、０（ゼロ）ｎｉｔから１００００ｎｉｔまでである。
【０１１８】
一般的なＨＤＲビデオの映像信号では、輝度設定値７０１は、０から２５５までの値を持つ。そして、それに対して、出力輝度レベル７０２は０から１００００までの値を持つ。
【０１１９】
なお、出力輝度レベル７０２が０（ゼロ）の場合には、輝度が最小となることを示している。また、出力輝度レベル７０２が１００００の場合には、輝度が最大となることを示している。この対応関係を、標準ＨＤＲトーンマップ１４０と呼ぶ。
【０１２０】
このように、ＳＤＲビデオと比較すると、ＨＤＲビデオは、出力輝度レベル７０２のダイナミックレンジが広く設定できる。
【０１２１】
さらに、ＨＤＲビデオは、出力輝度レベル７０２を非常に高く設定できる。このため、ＨＤＲビデオは、一般的なＳＤＲビデオでは表示できなかった非常に高輝度の表現を行うことができる。ＨＤＲビデオは、例えば、太陽の輝きなどを表現することができる。
【０１２２】
また、ＨＤＲビデオは、高輝度部分の階調を表現できる。そして、ＨＤＲビデオによって、高品位な映像表示が可能となる。
【０１２３】
ＨＤＲビデオとしてマスタリングする場合には、光ディスク１０３に記録する輝度設定値７０１は、標準ＨＤＲトーンマップ１４０であることを前提に記録される。また、ＳＤＲビデオとしてマスタリングする場合には、光ディスク１０３に記録する輝度設定値７０１は、標準ＳＤＲトーンマップ１４１であることを前提に記録される。
【０１２４】
なお、実施の形態１では、輝度設定値７０１は、８ビットであるものとして説明を進めてきた。しかし、輝度設定値７０１は、１０ビット又は１２ビットの分解能を持っても構わない。
【０１２５】
また、輝度設定値７０１は、規格で規定された変換曲線として示している。変換曲線は、例えば、標準ＳＤＲトーンマップ１４１又は標準ＨＤＲトーンマップ１４０である。しかし、輝度設定値７０１は、一次関数として示されても良い。また、輝度設定値７０１は、変換曲線の傾きを変更して設定されてもよい。
【０１２６】
図８は、実施の形態１に係る拡張トーンマップの生成に関する説明図である。図８は、特殊再生時において、ＨＤＲビデオを再生する際に使われる拡張トーンマップ８１０の一例を示す図である。特殊再生は、例えば、早送り又は巻き戻しに代表される。
【０１２７】
早送り再生時には、相関性の低いシーンの映像を連続的に高速で表示する。このため、ＨＤＲビデオの輝点が画面の中を激しく動く可能性が高い。つまり、ＨＤＲビデオの輝点が早送り再生中の映像の中を激しく動く可能性が高い。そのため、視聴者の目が疲れるなどの問題が発生する。
【０１２８】
実施の形態１では、出力輝度レベル７０２の値がＮ＿ＬＬ８０１までである場合には、拡張トーンマップ８１０は、標準ＨＤＲトーンマップ１４０と同じ相関関係を示す。一方、出力輝度レベル７０２の値がＮ＿ＬＬ８０１を超える場合には、拡張トーンマップ８１０は、Ｎ＿ＬＬ８０１の出力輝度レベル７０２でクリッピングされる。「Ｎ＿ＬＬ８０１」は、ある特定の出力輝度レベル７０２を示す。
【０１２９】
理解を容易にするために、一例として、Ｎ＿ＬＬ８０１を超える出力輝度レベル７０２の値を第１の出力輝度レベルとする。また、Ｎ＿ＬＬ８０１を第２の出力輝度レベル７０２の値とする。この場合には、輝度情報調整部１５０は、拡張ビデオのデータの第１の出力輝度レベルを、第２の出力輝度レベルに変更している。
【０１３０】
なお、図８では、Ｎ＿ＬＬ８０１は、１００ｎｉｔから１００００ｎｉｔの間の値としている。しかし、Ｎ＿ＬＬ８０１は１００ｎｉｔであっても良い。
【０１３１】
なお、出力輝度レベル７０２がＮ＿ＬＬ８０１である場合の輝度設定値７０１の値を、「Ｎ＿Ｖａｌｕｅ８０２」と定義する。
【０１３２】
すなわち、特殊再生時には、ある特定の出力輝度レベル７０２以上になる明るさを制限して画面を表示する。その結果、輝点が画面上を激しく動くことを防ぐことができる。このため、視聴者の目の疲れが低減される。
【０１３３】
なお、出力輝度レベルがＮ＿ＬＬ８０１以下である場合には、拡張トーンマップ８１０は、標準ＨＤＲトーンマップ１４０と同じ相関関係である。
【０１３４】
このため、通常再生から特殊再生に切り替えた際には、輝点以外の画面全体の明るさへの影響又は諧調表示への影響を最小限に抑えることができる。ただし、拡張トーンマップ８１０は、出力輝度レベル７０２がＮ＿ＬＬ８０１以下になればよく、必ずしも同図（図８）に示すグラフ形状にならなくてもよい。
【０１３５】
なお、Ｎ＿ＬＬ８０１は、０（ゼロ）ｎｉｔから１００００ｎｉｔまでの範囲で、任意の固定値で設定されても良い。１００００ｎｉｔは、ＨＤＲビデオの最大の出力輝度レベルである。
【０１３６】
また、映像シーン、操作種別、再生装置性能又は視聴条件等に合わせて、この区間を動的に変動させても良い。つまり、０（ゼロ）ｎｉｔからＮ＿ＬＬ８０１までの区間を的に変動させても良い。動的に変動させる場合には、特殊再生速度、特殊再生時の単位時間あたりの表示フレーム数、ランダム再生のスキップ幅、操作者の年齢性別又は表示色情報などが変動要因となる。
【０１３７】
特殊再生速度を変動要因とした場合には、再生速度が速いほどＮ＿ＬＬ８０１の値を小さな値に設定する。特殊再生速度は、例えば、早送り又は巻き戻し等である。
【０１３８】
理解を容易にするために、一例として、通常の再生速度を第１の再生速度とする。また、早送りの再生速度を第２の再生速度とする。また、通常の再生速度の際のＮ＿ＬＬ８０１を第１の輝度レベルとする。また、早送りの再生速度の際のＮ＿ＬＬ８０１を第２の輝度レベルとする。この場合には、拡張ビデオのデータを通常の速度の第１の再生速度よりも速い第２の再生速度で再生する際に、輝度情報調整部１５０は、第１の出力輝度レベルを第２の出力輝度レベルに低減させている。
【０１３９】
また、一例として、第３の再生速度および第４の再生速度を、第１の再生速度（通常の再生速度）よりも速い再生速度とする。また、第３の再生速度は、前記第４の再生速度よりも速い再生速度とする。第３の再生速度は、例えば、２倍速である。第４の再生速度は、例えば、１．５倍速である。また、第１の出力輝度レベルを、例えば、図８のＮ＿ＬＬ８０１を超える出力輝度レベル７０２の値とする。
【０１４０】
この場合には、輝度情報調整部１５０は、第３の再生速度（２倍速）で再生する際の第１の出力輝度レベルの低減量を、第４の再生速度（１．５倍速）で再生する際の第１の出力輝度レベルの低減量よりも大きくする。
【０１４１】
なお、図８では、Ｎ＿ＬＬ８０１は、１００ｎｉｔから１００００ｎｉｔの間の値としている。しかし、Ｎ＿ＬＬ８０１は１００ｎｉｔであっても良い。
【０１４２】
一連の映像では、再生速度が遅いほど各映像の相関性は高くなる。そして、画面上での輝点の位置は変動しにくい。つまり、映像上での輝点の位置は変動しにくい。
【０１４３】
例えば、１．５倍速での再生時には、輝点の動きは、ほぼ通常の再生速度と同じである。このため、１．５倍速の早送りを行っても、輝点が画面上（映像上）を激しく動く可能性は低い。
【０１４４】
一方、５０倍速での再生時には、各映像の相関性は低くなる。このため、輝点が画面上（映像上）を激しく動く可能性は高くなる。
【０１４５】
早送りの倍率が高いほど、ＨＤＲビデオの輝点の動きによる目の疲れの程度は大きくなる。このため、Ｎ＿ＬＬ８０１を小さな値に設定することで、輝点の明るさを制限し、視聴者の目の疲れを軽減する。
【０１４６】
特殊再生時の時間あたりの表示フレーム数を変動要因とした場合には、表示フレーム数が多いほど、Ｎ＿ＬＬ８０１は小さな値に設定される。
【０１４７】
特殊再生は、間欠的に選択したＩピクチャを、連続的な映像フレームとして表示している。
【０１４８】
なお、符号化映像再生装置１００のＣＰＵの性能によって又は表示する際の解像度によって、単位時間当たりに表示できるＩピクチャの枚数は異なる。
【０１４９】
表示可能な枚数が多い場合には、輝点が画面上（映像上）を激しく動く可能性が高い。このため、単位時間当たりの表示フレーム数が多いほど、ＨＤＲビデオの輝点の動きによる目の疲れの程度は大きくなる。そのため、Ｎ＿ＬＬ８０１を小さな値に設定することで、輝点の明るさを制限し、視聴者の目の疲れを軽減する。
【０１５０】
ランダム再生のスキップ幅を変動要因とした場合には、スキップ幅が長いほどＮ＿ＬＬ８０１の値を小さな値に設定する。「スキップ幅」とは、再生時間のジャンプ幅である。スキップ幅は、例えは、５秒スキップ、１５秒スキップ、３０秒スキップ又はチャプタースキップなどである。
【０１５１】
ジャンプ幅が大きいほど、スキップ後の映像とスキップ前の映像との相関性は低くなる。つまり、スキップ前とスキップ後とでは、映像シーンが異なることが多い。このため、画面全体の輝度変化が大きくなる可能性が高い。
【０１５２】
例えば、暗い映像から高輝度の映像に切り替わることによって、視聴者の目が眩むなどの問題がある。「目が眩む」とは、強い光線などのために、一時的に視力を失うことである。
【０１５３】
そこで、スキップ操作の直後から、所定の時間だけＮ＿ＬＬ８０１を低くすることで、この問題を軽減することができる。つまり、スキップ操作の直後から、一時的にＮ＿ＬＬ８０１を低くすることで、この問題を軽減することができる。
【０１５４】
一般的に、眩しさによって、一時的に視力を失った状態になる。眩惑されると、元の視力に回復するまでに、３秒から１０秒かかると言われている。また、この時間は、年齢によっても異なる。高齢者は、この眩惑状態に陥りやすいと言われている。
【０１５５】
例えば、スキップ操作をした後に、３秒間だけＮ＿ＬＬ８０１を低くする。これにより、スキップ操作をした後の映像が急に明るくなることを防止する。３秒を経過した後に、視聴者の目が明るさに慣れるように、徐々に輝度を上げていく。このような処理することで、視聴者の目が眩むことを軽減することができる。
【０１５６】
その後は、段階的にＮ＿ＬＬ８０１を高く設定していくようにすることで、視聴者の目の疲れを低減できる。
【０１５７】
操作者の年齢又は性別を変動要因とした場合には、低年齢者又は女性であるほどＮ＿ＬＬ８０１を小さな値に設定する。一般的に、低年齢者（子供）と女性とは、光感受性発作が起きやすい。つまり、低年齢者と女性とは、激しい光の明滅に弱い傾向にある。そこで、操作者によってＮ＿ＬＬ８０１の値を変更してもよい。
【０１５８】
表示される色情報を変動要因とした場合には、この輝点の色情報が赤の系統色であると判断すると、Ｎ＿ＬＬ８０１を小さな値に設定する。
【０１５９】
鮮やかな赤色の点滅又はカットチェンジがあると、光感受性発作が起きやすい。このため、輝度情報だけでなく、表示される色情報にも配慮してＮ＿ＬＬ８０１の値を変更してもよい。
【０１６０】
また、Ｎ＿ＬＬ８０１は、接続されている表示装置１１３の表示性能情報を取得して、この表示性能情報から得られる表示画面のサイズ、最大出力輝度レベル又は推奨最大輝度レベル等を変動要因としても良い。なお、「推奨最大輝度レベル」とは、表示装置で最も省エネ効率が良い最大輝度設定値を示す。
【０１６１】
表示画面のサイズを変動要因とした場合には、表示画面のサイズが大きいほどＮ＿ＬＬ８０１を小さな値に設定する。表示画面のサイズが大きい場合には、輝点の動く距離が大きくなり、目が疲れやすいためである。
【０１６２】
最大出力輝度レベルを変動要因とした場合には、表示装置１１３から取得した最大出力輝度レベルをＮ＿ＬＬ８０１として、輝度設定値７０１の全範囲を利用できるようにする。
【０１６３】
具体的には、第２の拡張トーンマップを図８に示す曲線８１１のようにする。第２の拡張トーンマップ８１１は、輝度設定値７０１が２５５の場合に、出力輝度レベル７０２がＮ＿ＬＬ８０１となっている。これによって、表示装置１１３の表示可能な最大輝度の範囲内で、映像表示する輝度の階調を細やかに設定できる。そして、表示装置１１３は、より高品位の映像を表示できる。
【０１６４】
この場合も、輝度情報調整部１５０は、拡張ビデオのデータの第１の出力輝度レベルを、第２の出力輝度レベルに変更している。第１の出力輝度レベルは、標準ＨＤＲトーンマップ１４０の出力輝度レベルに該当する。第２の出力輝度レベルは、第２の拡張トーンマップ８１１の出力輝度レベルに該当する。
【０１６５】
曲線８１１は、例えば、Ｎ＿ＬＬ８０１を１００００で割った値を、各輝度設定値７０１の出力輝度レベルの値に掛けて求められる。つまり、１００００に対するＮ＿ＬＬ８０１の比率を、各輝度設定値７０１の出力輝度レベルの値に掛けて求められる。
【０１６６】
推奨最大輝度レベルを変動要因とした場合には、表示装置１１３から取得した推奨最大輝度レベルをＮ＿ＬＬ８０１として、輝度設定値７０１の全範囲を利用できるようにする。
【０１６７】
具体的には、第２の拡張トーンマップ８１１のようにすることで、表示装置１１３側の省エネ性能に配慮した輝度値変換を、符号化映像再生装置１００側で行うことができる。第２の拡張トーンマップ８１１は、輝度設定値７０１が２５５の場合に、出力輝度レベル７０２がＮ＿ＬＬ８０１となっている。
【０１６８】
なお、上記のように、単独の変動要因で拡張トーンマップの生成を行ってもよい。しかし、変動要因の組合せによって、拡張トーンマップの生成を行ってもよい。
【０１６９】
また、実施の形態１では、トーンマップ生成部１５２が拡張トーンマップを生成する例を示している。しかし、メモリ部１２０に、複数の拡張トーンマップをあらかじめ保持しておき、変動要因の結果に基づいて、一番類似している拡張トーンマップを選択するようにしても良い。
【０１７０】
この場合には、トーンマップ生成部１５２は不要となる。そして、輝度情報調整部１５０は、保持している拡張トーンマップを使用して輝度調整を行う。なお、拡張トーンマップの実体は、輝度設定値と出力輝度レベルの対応表、関数又は条件文でもよく、輝度設定値に対して出力輝度レベルが一意に決定できる情報であればよい。
【０１７１】
図８に示すように、標準ＨＤＲトーンマップ１４０は、輝度設定値の範囲内で、拡張トーンマップ８１０または第２の拡張トーンマップ８１１に変更されている。標準ＨＤＲトーンマップ１４０は、輝度設定値の全範囲で、拡張トーンマップ８１０または第２の拡張トーンマップ８１１に変更されている。つまり、輝度情報調整部１５０は、拡張ビデオのデータ（映像情報ＤＶ１）の出力輝度レベルを、輝度設定値の範囲内で、映像情報ＤＶ２の出力輝度レベルに変更している。実施の形態では、輝度情報調整部１５０は、拡張ビデオのデータ（映像情報ＤＶ１）の出力輝度レベルを、輝度設定値の全範囲で、映像情報ＤＶ２の出力輝度レベルに変更している。
【０１７２】
図９は、記録媒体及び表示装置に関して、ＨＤＲビデオとＳＤＲビデオとに関して、光ディスク１０３と表示装置１１３とを組合せた場合のシステムの挙動についての説明図である。
【０１７３】
記録媒体と表示装置とに関するＨＤＲ対応の有無の組合せとしては、組合せ（ＳＤＲ＿ＳＤＲ）９０１、組合せ（ＳＤＲ＿ＨＤＲ）９０２、組合せ（ＨＤＲ＿ＳＤＲ）９０３又は組合せ（ＨＤＲ＿ＨＤＲ）９０４の４パターンが存在する。
【０１７４】
組合せ（ＳＤＲ＿ＳＤＲ）９０１では、記録媒体（光ディスク１０３）と表示装置１１３との両方が、従来のＳＤＲビデオを対象とした場合の組合せ例である。
【０１７５】
組合せ（ＳＤＲ＿ＳＤＲ）９０１では、映像音声デコーダ部１１１で復号された映像信号ＤＶ１は、輝度情報調整部１５０で輝度調整が行われない。復号された映像信号ＤＶ１は、そのまま、デジタルインターフェース部１１２を介して、ＳＤＲビデオ信号として表示装置１１３に伝送される。表示装置１１３は、この映像信号ＤＶ１を、そのままＳＤＲビデオとして表示する。
【０１７６】
組合せ（ＳＤＲ＿ＨＤＲ）９０２では、記録媒体（光ディスク１０３）がＳＤＲビデオである。また、表示装置１１３は、ＨＤＲビデオ対応の機器である。
【０１７７】
組合せ（ＳＤＲ＿ＨＤＲ）９０２では、映像音声デコーダ部１１１で復号された映像信号ＤＶ１は、輝度情報調整部１５０で輝度調整が行われない。復号された映像信号ＤＶ１は、そのまま、デジタルインターフェース部１１２を介して、ＳＤＲビデオ信号として表示装置１１３に伝送される。表示装置１１３は、内部に保持している標準ＨＤＲトーンマップ７２０に従って、出力輝度レベルを変更した後に、この映像信号ＤＶ１を、ＨＤＲビデオとして表示する。
【０１７８】
組合せ（ＨＤＲ＿ＳＤＲ）９０３では、記録媒体（光ディスク１０３）がＨＤＲビデオである。また、表示装置１１３は、ＳＤＲビデオ対応の機器である。
【０１７９】
組合せ（ＨＤＲ＿ＳＤＲ）９０３では、映像音声デコーダ部１１１で復号された映像信号ＤＶ１によって、メモリ部１２０に保持されている標準ＨＤＲトーンマップ７２０から輝度設定値７０１の出力輝度レベルが算出される。
【０１８０】
その後、標準ＳＤＲトーンマップ１４１において、算出された出力輝度レベル７０２は、対応する輝度設定値７０１に変換される。そして、対応する輝度設定値７０１に変換された映像信号ＤＶ３は、デジタルインターフェース部１１２を介して、ＳＤＲビデオ信号として表示装置１１３に伝送される。表示装置１１３は、この映像信号ＤＶ３をそのままＳＤＲビデオとして表示する。
【０１８１】
組合せ（ＨＤＲ＿ＨＤＲ）９０４では、記録媒体（光ディスク１０３）と表示装置１１３との両方が、ＨＤＲビデオを対象とした場合の組合せ例である。
【０１８２】
組合せ（ＨＤＲ＿ＨＤＲ）９０４では、通常再生を行う場合には、映像音声デコーダ部１１１で復号された映像信号ＤＶ１は、輝度情報調整部１５０で輝度調整が行われない。復号された映像信号ＤＶ１は、そのまま、デジタルインターフェース部１１２を介して、ＨＤＲビデオ信号として表示装置１１３に伝送される。表示装置１１３側は、この映像信号ＤＶ１を、そのままＨＤＲビデオとして表示する。
【０１８３】
また、実施の形態１では、特殊再生を行う場合には、輝度情報調整部１５０は、拡張トーンマップ８１０，８１１を用いて、映像信号ＤＶ１の輝度設定値７０１を変換する。拡張トーンマップ８１０，８１１は、トーンマップ生成部１５２で作成される。
【０１８４】
その後、輝度設定値７０１が変換された映像信号ＤＶ２は、デジタルインターフェース部１１２を介して、ＨＤＲビデオ信号として表示装置１１３に伝送される。表示装置１１３は、この映像信号ＤＶ２を、そのままＨＤＲビデオとして表示する。
【０１８５】
なお、図９では、記録媒体（光ディスク１０３）の全体で、ＨＤＲビデオであるかＳＤＲビデオであるかを区分けしてもよい。また、実施の形態１で説明しているように、プレイリスト単位又はストリーム情報ファイル単位で、ＨＤＲビデオであるかＳＤＲビデオであるかを区分けしてもよい。
【０１８６】
図１０は、実施の形態１の再生処理の基本フロー図である。
【０１８７】
まず、表示機器情報取得部１５１は、接続されている表示装置１１３の表示性能を取得する（Ｓ１０１）。
【０１８８】
その後、システム制御部１０１は、再生ドライブ部１０２に挿入された光ディスク１０３から再生制御情報（再生制御情報ファイル）３１０を読み取り、ディスク情報を取得する（Ｓ１０２）。ディスク情報は、例えば、ストリーム情報ＤＳ１または再生制御情報ＤＣなどである。
【０１８９】
その後、光ディスク１０３の中から、再生したいプレイリストを選択する（Ｓ１０３）。再生したいプレイリストが選択された場合には、「ＹＥＳ」に進む。再生したいプレイリストが選択されていない場合には、「ＮＯ」に進む。
【０１９０】
システム制御部１０１は、再生制御情報３１０から選択されたプレイリストに関する情報を読み出す（Ｓ１０４）。
【０１９１】
この情報を用いて、選択されたプレイリストがＨＤＲビデオか否かを特定する。そして、光ディスク１０３から選択されたプレイリストが再生すべきストリーム情報ファイル３２０を特定する。そして、再生すべきストリーム情報ファイル３２０からの読み出し位置を取得する。取得した読み出し位置から情報（ストリーム情報ＤＳ２）を復号することによって、プレイリストの再生を行う（Ｓ１０５）。
【０１９２】
図１１は、実施の形態１のトーンマップ変更処理のフロー図である。
【０１９３】
なお、このフロー図は、ＨＤＲビデオが記録されたコンテンツを、ＨＤＲ対応の表示装置１１３に出力することを前提とした処理フロー図である。
【０１９４】
プレイリストの再生中に、操作部１３０を介して早送り又は巻き戻しなどの特殊再生の指示を受ける（Ｓ２０１）。特殊再生の指示を受けた場合には、「ＹＥＳ」に進む。特殊再生の指示を受けていない場合には、「ＮＯ」に進む。
【０１９５】
特殊再生の指示があったと判定すると、指示された特殊再生の再生速度情報を取得する（Ｓ２０２）。
【０１９６】
なお、再生速度情報は、通常再生速度と比較した再生速度の倍率を示す情報である。再生速度情報が０．５倍速であれば、再生速度情報が通常再生速度の半分の速さである「スロー再生」を示す。また、再生速度情報が３倍速であれば、再生速度情報が通常再生速度の３倍の速さである「早送り再生」を示す。
【０１９７】
その後、符号化再生装置１００の初期設定情報を取得する（Ｓ２０３）。
【０１９８】
「初期設定情報」とは、機器固有の設定情報である。初期設定情報は、例えば、初期設定されている操作者の年齢情報又は性別情報などである。なお、これらの情報は、必ずしも、初期設定情報で設定する必要は無い。例えば、操作部１３０から操作者の属性情報を取得するようにしてもよい。
【０１９９】
その後、トーンマップ生成部１５２において、拡張トーンマップ８１０，８１１への変更が必要か否かを判定する（Ｓ２０４）。拡張トーンマップ８１０，８１１への変更を必要とする場合には、「ＹＥＳ」を選択する。拡張トーンマップ８１０，８１１への変更を必要としない場合には、「ＮＯ」を選択する。
【０２００】
具体的には、任意の再生速度以上の早送りが指示された場合に、指示された再生速度に基づいた拡張トーンマップ８１０，８１１を作成する（Ｓ２０６）。
【０２０１】
例えば、任意の再生速度は、初期設定情報を基にして定められる。また、例えば、任意の再生速度は、操作部１３０から入力された設定情報を基にして定められる。
【０２０２】
輝度情報調整部１５０は、ステップＳ２０６で作成された拡張トーンマップ８１０，８１１を用いて、映像出力の輝度調整を行う（Ｓ２０７）。
【０２０３】
その後、デジタルインターフェース部１１２から表示装置１１３に映像信号ＤＶ３及び音声信号ＤＡ２が出力される（Ｓ２０８）。
【０２０４】
例えば、０．５倍速のスロー再生又は１．３倍速の低速早送り時では、一連の映像間で相関性が高い。このため、拡張トーンマップ８１０，８１１による輝度調整の必要がない。「任意の速度以上」にした理由は、このためである。
【０２０５】
また、早送り速度によって、Ｎ＿ＬＬ８０１の値をもっと細分化して調整してもよい。その後、ステップＳ２０７に進む。
【０２０６】
ステップＳ２０４において、トーンマップの変更を必要としないと判断した場合には、ステップＳ２０５に進む。つまり、拡張トーンマップ８１０，８１１への変更を必要としない場合には、「ＮＯ」を選択する。メモリ部１２０に保持している標準ＨＤＲトーンマップ１４０又は標準ＳＤＲトーンマップ１４１が選択され、ステップＳ２０７に進む。
【０２０７】
輝度情報調整部１５０は、ステップＳ２０５で利用した標準のトーンマップ１４０，１４１を用いて、映像出力（映像情報ＤＶ１）の輝度調整を行う（Ｓ２０７）。
【０２０８】
なお、ステップＳ２０５の処理は、ステップＳ２０３の後に行われてもよい。つまり、メモリ部１２０に保持している標準ＨＤＲトーンマップ１４０又は標準ＳＤＲトーンマップ１４１が選択された後に、ステップＳ２０４で拡張トーンマップ８１０，８１１への変更が必要か否かを判定する。拡張トーンマップ８１０，８１１への変更が不要な場合には、ステップＳ２０７に進む。
【０２０９】
実施の形態１のような符号化映像再生装置１００は、通常再生の場合には、高品位なＨＤＲビデオの映像視聴を楽しむことができる。また、符号化映像再生装置１００は、特殊再生の場合には、ＨＤＲビデオによる目の疲れを低減させることができる。
【０２１０】
また、実施の形態１の別の効果として、ＨＤＲ再生を行う場合には、表示装置１１３（液晶テレビ）の表示性能に基づいた拡張トーンマップ８１０，８１１を生成することができる。このため、表示装置１１３の性能に合わせた細かな階調表現又は省エネにも配慮した輝度調整を行うことができる。
【０２１１】
＜変形例＞
上述の実施の形態では、光ディスク１０３には、ＨＤＲビデオが記録されていた。変形例では、ＳＤＲビデオが記録された光ディスク１０３を、ＨＤＲビデオに変換する例を示す。
【０２１２】
図１２は、変形例の符号化映像再生装置のシステム構成図である。図１２（Ａ）に示す符号化映像再生装置１００は、変換装置１１６を含んでいない。図１２（Ｂ）に示す符号化映像再生装置１９０は、変換部１１６ａを含んでいる。
【０２１３】
変換部１１６ａは、変換装置１１６を符号化映像再生装置１９０の中に設けたものである。このため、変換部１１６ａは、変換装置１１６と同じ機能を有する。以下において、変換装置１１６の説明で、変換部１１６ａの説明に代える。
【０２１４】
変換装置１１６は、ＳＤＲビデオをＨＤＲビデオに変換する。変換装置１１６によって、ＨＤＲビデオに変換された情報ＤＨは、符号化映像再生装置１００に送られる。情報ＤＨは、ＨＤＲビデオに変換されたストリーム情報ＤＨＳ１及びこのストリーム情報ＤＨＳ１の再生制御情報ＤＨＣを含んでいる。
【０２１５】
変換装置１１６は、再生ドライブ部１０２の機能を備えている。一方、変換部１１６ａは、再生ドライブ部１０２の機能を備えていない。
【０２１６】
このため、変換部１１６ａは、再生ドライブ部１０２によって読み出された光ディスク１０３に記録された情報を受け取る。光ディスク１０３に記録された情報は、ストリーム情報ＤＳ１及びこのストリーム情報ＤＳ１の再生制御情報ＤＣを含んでいる。
【０２１７】
そして、変換部１１６ａは、受け取った情報をＨＤＲビデオに対応した情報に変換する。変換部１１６ａは、ＨＤＲビデオに対応したストリーム情報ＤＨＳ１をデコーダブロック１１５に送る。また、変換部１１６ａは、ＨＤＲビデオに対応した再生制御情報ＤＨＣをシステム制御部１０１に送る。
【０２１８】
変形例では、ＳＤＲビデオをＨＤＲビデオのレベルで再生することができる。また、早送りの場合には、ＳＤＲビデオをＨＤＲビデオに変換せずに再生することができる。また、早送りの場合には、ＳＤＲビデオをＨＤＲビデオに変換した後で、上述の実施の形態１で説明した処理をすることができる。
【０２１９】
＜付記＞
以上の実施の形態を基にして、以下の内容を付記として記載する。
【０２２０】
＜付記１＞
標準ビデオよりも輝度のダイナミックレンジが広い拡張ビデオのデータを再生する映像再生装置であって、
輝度値及び出力輝度レベルの対応関係を示すトーンマップに基づいて、前記拡張ビデオのデータの輝度情報を変更する輝度情報調整部を備え、
前記拡張ビデオのデータを通常の再生速度よりも速い再生速度で再生する場合には、前記トーンマップに基づいて、前記出力輝度レベルを低減させることを特徴とした映像再生装置。
【０２２１】
＜付記２＞
付記１記載の映像再生装置であって、
前記トーンマップは、前記拡張ビデオのデータが通常の再生速度よりも速い再生速度で再生される場合には、単位時間当たりの表示フレーム数が多い程、前記出力輝度レベルを低減させることを特徴とした映像再生装置。
【０２２２】
＜付記３＞
付記１又は２記載の映像再生装置であって、
前記トーンマップは、前記出力輝度レベルの最大値が所定のレベル以下になるように生成されることを特徴とした映像再生装置。
【０２２３】
＜付記４＞
標準ビデオよりも輝度のダイナミックレンジが広い拡張ビデオのデータを読み込むステップと、
輝度値及び出力輝度レベルの対応関係を示すトーンマップに基づいて、前記拡張ビデオのデータの輝度情報を変更するステップと
を備え、
前記拡張ビデオのデータを通常の再生速度よりも速い再生速度で再生する場合には、前記トーンマップに基づいて、前記出力輝度レベルを低減させることを特徴とした映像再生方法。
【０２２４】
＜付記５＞
付記４記載の映像再生方法であって、
前記トーンマップは、前記拡張ビデオのデータが通常の再生速度よりも速い再生速度で再生される場合には、単位時間当たりの表示フレーム数が多い程、前記出力輝度レベルを低減させることを特徴とした映像再生方法。
【０２２５】
＜付記６＞
付記４又は５記載の映像再生方法であって、
前記トーンマップは、前記出力輝度レベルの最大値が所定のレベル以下になるように生成されることを特徴とした映像再生方法。
【０２２６】
なお、以上のように本発明の実施の形態について説明したが、本発明はこれらの実施の形態に限るものではない。
【符号の説明】
【０２２７】
１００  符号化映像再生装置、  １０１  システム制御部、  １０２  再生ドライブ部、  １０３  光ディスク、  １１０  ストリーム制御部、  １１１  映像音声デコーダ部、  １１２  デジタルインターフェース部、  １１３  表示装置、  １１４  表示装置通信部、  １１５  デコーダブロック、  １１６  変換装置、  １１６ａ  変換部、  １２０  メモリ部、  １３０  操作部、  １４０  標準ＨＤＲトーンマップ、  １４１  標準ＳＤＲトーンマップ、  １５０  輝度情報調整部、  １５１  表示機器情報取得部、  １５２  トーンマップ生成部、  ２００  ＨＤＲビデオ映像、  ３００  ルートディレクトリ、  ３０１  ディスクディレクトリ、  ３０２  ストリーム管理ディレクトリ、  ３１０  再生制御情報ファイル、  ３２０  ストリーム情報ファイル、  ４００  パケット、  ４０１  ヘッダ情報、  ４０２  ＩＤ、  ４０３  データ領域、  ４０５  パケット層、  ５０１  Ｓｔｕｄｉｏ＿ＩＤ、  ５０２  Ｄｉｓｃ＿ＩＤ、  ５０３  ｎｕｍ＿ｏｆ＿ｐｌａｙｌｉｓｔ、  ５０４  ｆｌａｇ＿ＨＤＲ、  ５０５  Ｍａｘ＿ＬＬ、  ５０６  Ｍａｘ＿Ａｖｅ＿ＬＬ、  ５０７  ＭａｓｔｅｒＭｏｎｉｔｏｒＩｎｆｏ、  ５０８  ｎｕｍ＿ｏｆ＿ｐｌａｙｉｔｅｍ、  ５０９  ストリームファイル名、  ５１０  再生開始時間、  ５１１  再生終了時間、  ５１２  ｎｕｍ＿ｏｆ＿ｓｔｒｅａｍ、  ５１３  ストリーム情報ファイル名、  ５１４  属性情報管理テーブル、  ５１５  アクセスポイント管理テーブル、  ６００  映像ストリーム、  ６０１  ＧＯＰ、  ６１０  Ｉピクチャ、  ６１１  Ｐピクチャ、  ６１２  Ｂピクチャ、  ６２０  表示時刻情報、  ６３０  映像属性情報、  ６３１  ＡＵＤ、  ６３２  ＳＰＳ、  ６３３  ＰＰＳ、  ６３４  ＳＥＩ、  ６４０  符号化映像データ、  ６４１  スライス、  ７０１  輝度設定値、  ７０２  出力輝度レベル、  ７０５  ＨＤＲビデオの表示輝度範囲、  ７０６  ＳＤＲビデオの表示輝度範囲、  ８０１  Ｎ＿ＬＬ、  ８０２  Ｎ＿Ｖａｌｕｅ、  ８１０  拡張トーンマップ、  ８１１  第２の拡張トーンマップ、  ９０１  組合せ（ＳＤＲ＿ＳＤＲ）、  ９０２  組合せ（ＳＤＲ＿ＨＤＲ）、  ９０３  組合せ（ＨＤＲ＿ＳＤＲ）、  ９０４  組合せ（ＨＤＲ＿ＨＤＲ）、  ＤＣ，ＤＨＣ  再生制御情報、  ＤＤ  デコーダ制御信号、  ＤＨ  ＨＤＲビデオに変換された情報  ＤＳ１，ＤＳ２，ＤＨＳ１  ストリーム情報、  ＤＴ  映像属性情報、  ＤＦ  表示可能フォーマット、  ＤＶ１，ＤＶ２，ＤＶ３  映像信号、  ＤＡ１，ＤＡ２  音声信号。
【図１】
2016208616.tif 000003
【図２】
2016208616.tif 000004
【図３】
2016208616.tif 000005
【図４】
2016208616.tif 000006
【図５】
2016208616.tif 000007
【図６】
2016208616.tif 000008
【図７】
2016208616.tif 000009
【図８】
2016208616.tif 000010
【図９】
2016208616.tif 000011
【図１０】
2016208616.tif 000012
【図１１】
2016208616.tif 000013
【図１２】
2016208616.tif 000014
【国際調査報告】
2016208616.tif 000015
2016208616.tif 000016
2016208616.tif 000017
2016208616.tif 000018